(57)【要約】【課題】ユーザーが容易に重送された原稿を確認することができる画像形成装置を提供する。【解決手段】複合機１１は、枚数入力受け付け部４１と、枚数カウント部４２と、判断部４３と、画像集約部４４と、報知部４５とを備える。枚数入力受け付け部４１は、セットされる複数の原稿の枚数の入力を予め受け付ける。枚数カウント部４２は、ＡＤＦ２２にセットされた原稿が搬送された枚数をカウントする。判断部４３は、枚数入力受け付け部４１により入力を受け付けられたセットされた原稿の枚数と、枚数カウント部４２によりカウントされた原稿の枚数が一致するか否かを判断する。画像集約部４４は、判断部４３により一致しないと判断されれば、画像読み取り部１４により読み取られた画像を集約する。報知部４５は、画像集約部４４により集約された集約画像を報知する。【選択図】図４
2018074419.tif 000002
【特許請求の範囲】
【請求項１】
読み取られた複数の原稿の画像を基に画像を形成する画像形成装置であって、
セットされた複数の原稿を画像の読み取り位置まで順次搬送する原稿搬送装置と、
セットされる複数の前記原稿の枚数の入力を予め受け付ける枚数入力受け付け部と、
前記原稿搬送装置により前記読み取り位置まで搬送された前記原稿の画像を読み取る画像読み取り部と、
前記画像読み取り部により読み取られた画像を基に画像を形成して用紙に印刷する画像形成部と、
前記原稿搬送装置にセットされた前記原稿が搬送された枚数をカウントする枚数カウント部と、
前記枚数入力受け付け部により入力を受け付けられたセットされた前記原稿の枚数と、前記枚数カウント部によりカウントされた前記原稿の枚数が一致するか否かを判断する判断部と、
前記判断部により一致しないと判断されれば、前記画像読み取り部により読み取られた画像を集約する画像集約部と、
前記画像集約部により集約された集約画像を報知する報知部とを備える、画像形成装置。
【請求項２】
前記報知部は、前記画像集約部により集約された前記集約画像を、前記画像形成部により用紙に印刷して報知する、請求項１に記載の画像形成装置。
【請求項３】
情報を表示する表示画面をさらに備え、
前記報知部は、前記画像集約部により集約された前記集約画像を前記表示画面に表示して報知する、請求項１または２に記載の画像形成装置。
【請求項４】
前記画像形成装置は、外部装置と通信可能であり、
前記報知部は、前記画像集約部により集約された前記集約画像を前記外部装置に送信して報知する、請求項１〜３のいずれか１項に記載の画像形成装置。
【請求項５】
前記報知部は、前記判断部により一致すると判断されれば、その旨を前記外部装置に送信して報知する、請求項４に記載の画像形成装置。
【請求項６】
前記報知部は、前記判断部により一致しないと判断されれば、前記枚数入力受け付け部により入力を受け付けられたセットされた前記原稿の枚数と、前記枚数カウント部によりカウントされた前記原稿の枚数との差分を報知する、請求項１〜５のいずれか１項に記載の画像形成装置。
【発明の詳細な説明】
【技術分野】
【０００１】
この発明は、画像形成装置に関するものである。
【背景技術】
【０００２】
複合機に代表される画像形成装置においては、画像データを基に、感光体に対して光を照射し、感光体上に静電潜像を形成する。その後、形成した静電潜像の上に帯電したトナーを供給して可視画像とした後、用紙に転写して定着させ、装置外に出力される。
【０００３】
画像形成装置には、セットされた複数枚の原稿を自動的に画像の読み取り位置に搬送して原稿の画像を読み取る原稿搬送装置が搭載されているものがある。原稿搬送装置を備えた画像形成装置に関する技術が、特開２０００−３５２９１１号公報（特許文献１）、および特開２０１１−１００３０号公報（特許文献２）に開示されている。
【０００４】
特許文献１に開示の画像形成装置によると、複数載置された原稿を順次一枚ずつ分離搬送可能な原稿搬送手段と、該原稿搬送手段によって搬送される原稿上の画像を読み取る画像読み取り手段と、順次搬送される記録シート上に、前記画像読み取り手段によって読み取った画像を形成する画像形成手段とを備える。画像形成装置は、載置する原稿の枚数を予め入力する入力手段と、搬送される記録シートの枚数をカウントするカウント手段と、前記入力手段による入力枚数と前記カウント手段によるカウント枚数から、原稿の入力枚数に対応した分だけ画像形成動作が行われていないことを検知した場合に、対応枚数分だけ画像形成が行われなかったことを通知する通知手段とを備えたことを特徴としている。
【０００５】
特許文献２に開示の画像読み取り装置によると、複数枚載置された原稿を順次１枚ずつ分離搬送可能な原稿搬送手段と、前記原稿搬送手段によって搬送される前記原稿上の画像を読み取って画像データを出力する画像読み取り手段と、読み取られた前記画像データを格納する格納手段と、前記原稿の搬送異常を検知する検知手段と、前記検知手段により前記搬送異常が検知された場合、前記搬送異常を報知する報知手段と、前記搬送異常の場合に、前記格納部に格納された前記画像データを読み出して表示する表示手段とを有することを特徴としている。
【先行技術文献】
【特許文献】
【０００６】
【特許文献１】特開２０００−３５２９１１号公報
【特許文献２】特開２０１１−１００３０号公報
【発明の概要】
【発明が解決しようとする課題】
【０００７】
特許文献１に開示の技術では、画像の読み取りが行われなかった、すなわち重送が発生したことを通知するのみであり、具体的にどの用紙が重送されたのか分かりにくい。そうすると、ユーザーは、重送された用紙がどの用紙か一枚一枚見て確認しなければならず、ユーザーの作業が煩雑になるおそれがある。
【０００８】
特許文献２に開示の技術では、読み取られた画像をパネルにプレビュー表示させることとしているが、表示される一枚一枚の画像の大きさがパネルに対して相対的に大きくなれば、ユーザーにとって非常に見づらく、重送した原稿の確認が困難なものとなっていた。
【０００９】
この発明の目的は、ユーザーが容易に重送された原稿を確認することができる画像形成装置を提供することである。
【課題を解決するための手段】
【００１０】
この発明に係る画像形成装置は、読み取られた複数の原稿の画像を基に画像を形成する。画像形成装置は、原稿搬送装置と、枚数入力受け付け部と、画像読み取り部と、画像形成部と、枚数カウント部と、判断部と、画像集約部と、報知部とを備える。原稿搬送装置は、セットされた複数の原稿を画像の読み取り位置まで順次搬送する。枚数入力受け付け部は、セットされる複数の原稿の枚数の入力を予め受け付ける。画像読み取り部は、原稿搬送装置により読み取り位置まで搬送された原稿の画像を読み取る。画像形成部は、画像読み取り部により読み取られた画像を基に画像を形成して用紙に印刷する。枚数カウント部は、原稿搬送装置にセットされた原稿が搬送された枚数をカウントする。判断部は、枚数入力受け付け部により入力を受け付けられたセットされた原稿の枚数と、枚数カウント部によりカウントされた原稿の枚数が一致するか否かを判断する。画像集約部は、判断部により一致しないと判断されれば、画像読み取り部により読み取られた画像を集約する。報知部は、画像集約部により集約された集約画像を報知する。
【発明の効果】
【００１１】
このような画像形成装置によれば、枚数入力受け付け部により入力を受け付けられたセットされた原稿の枚数と、枚数カウント部によりカウントされた原稿の枚数が一致しなければ、読み取られた画像を集約して報知することとしている。そうすると、集約画像を確認して、重送して搬送された原稿を容易に把握することができる。この場合、画像を集約しているため、表示や印刷といった報知の態様において、スペースを有効活用でき、効率的に報知することができる。したがって、このような画像形成装置によれば、ユーザーが容易に重送された原稿を確認することができる。
【図面の簡単な説明】
【００１２】
【図１】この発明の一実施形態に係る画像形成装置を複合機に適用した場合の複合機の外観を示す概略図である。
【図２】図１に示す複合機の構成を示すブロック図である。
【図３】操作部の概略的な構成を示す外観図である。
【図４】制御部の構成を示すブロック図である。
【図５】複数枚の原稿の画像を読み取って画像を形成する場合の処理の流れを示すフローチャートである。
【図６】原稿の枚数の入力を受け付ける際の表示画面の一例を示す図である。
【図７】集約画像が印刷された印刷物の一例を示す図である。
【図８】集約された集約画像を表示画面に表示した場合の表示画面の一例を示す図である。
【図９】携帯端末装置に集約画像が送信された場合の携帯端末装置のタッチパネルの表示の一例を示す図である。
【発明を実施するための形態】
【００１３】
以下、この発明の実施の形態を説明する。図１は、この発明の一実施形態に係る画像形成装置を複合機に適用した場合の複合機１１の外観を示す概略図である。図２は、図１に示す複合機１１の構成を示すブロック図である。
【００１４】
図１および図２を参照して、複合機１１は、画像処理に関し、複写機能、プリンター機能、ファクシミリ機能等、複数の機能を有する。複合機１１は、制御部１２と、操作部１３と、画像読み取り部１４と、画像形成部１５と、給紙カセット１６と、ハードディスク１７と、ネットワーク（図示せず）と接続するためのネットワークインターフェース部１８と、複合機通信部２３とを備える。
【００１５】
制御部１２は、複合機１１全体の制御を行う。なお、制御部１２は、ＣＰＵ等から構成されており、一時的にデータを記憶する主記憶メモリ１９を含む。操作部１３は、複合機１１側から発信される情報やユーザーの入力内容を表示する表示部としての表示画面２１を含む。操作部１３は、印刷部数や階調等の画像形成の条件といった画像形成に関するユーザーからの入力を受け付ける。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または図示しない載置台上にセットされた原稿の画像を読み取る。具体的には、画像読み取り部１４は、ＡＤＦ２２により読み取り位置まで搬送された原稿の画像を読み取る。給紙カセット１６は、複数設けられており、それぞれ複数枚の用紙をその内部に収納することができる。画像形成部１５は、画像読み取り部１４により読み取られた原稿の画像データや図示しないネットワークを介して送信された画像データを基に、給紙カセット１６から搬送されてきた用紙に画像を形成する。すなわち、画像形成部１５は、給紙カセット１６に収納された用紙に画像を形成して印刷する。ハードディスク１７は、送信された画像データや入力された画像形成条件等、画像形成に関するデータを記憶する。複合機通信部２３は、外部装置、例えば、スマートフォンや携帯電話、タブレットＰＣといった携帯端末装置と接続して、外部装置との通信を可能にする。
【００１６】
次に、上記した操作部１３の構成について、さらに詳細に説明する。図３は、操作部１３の概略的な構成を示す外観図である。図３を参照して、操作部１３は、印刷部数等を入力させるための０〜９までの数字、および「＊」や「＃」の記号をユーザーに入力させるテンキー３１と、原稿の画像の読み取りの開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、テンキー３１等を用いてユーザーにより入力された指示の内容をキャンセルさせるリセットキー３５と、上記した表示画面２１とを含む。テンキー３１は、いわゆるハードキーである。表示画面２１は、液晶のタッチパネル機能を有しており、ユーザーの指でのタップ等により、表示画面２１からも画像形成条件等を入力させると共に、機能の選択等を行うことができる。
【００１７】
次に、複合機１１に備えられる制御部１２の構成について説明する。図４は、制御部１２の構成を示すブロック図である。図４を参照して、制御部１２は、枚数入力受け付け部４１と、枚数カウント部４２と、判断部４３と、画像集約部４４とを備える。枚数入力受け付け部４１は、セットされる複数の原稿の枚数の入力を予め受け付ける。枚数カウント部４２は、ＡＤＦ２２にセットされた原稿が搬送された枚数をカウントする。判断部４３は、枚数入力受け付け部４１により入力を受け付けられたセットされた原稿の枚数と、枚数カウント部４２によりカウントされた原稿の枚数が一致するか否かを判断する。画像集約部４４は、判断部４３により一致しないと判断されれば、画像読み取り部１４により読み取られた画像を集約する。報知部４５は、画像集約部４４により集約された集約画像を報知する。これらの構成については、後に詳述する。
【００１８】
次に、複合機１１を用いて、複数枚の原稿の画像を読み取って画像を形成する場合について説明する。図５は、複数枚の原稿の画像を読み取って画像を形成する場合の処理の流れを示すフローチャートである。なお、この場合、五枚の原稿の画像を読み取らせるものとする。また、ここでは、原稿の画像をコピーする場合、すなわち、原稿の画像を読み取って読み取った画像を基に用紙に画像を形成する場合について説明する。
【００１９】
図５を参照して、まず、ユーザーは、複数枚の原稿の画像をＡＤＦ２２にセットする。原稿のセットを検知すると（図５において、ステップＳ１１、以下、「ステップ」を省略する）、枚数入力受け付け部４１は、表示画面２１において、読み取らせる原稿の枚数の入力を受け付ける（Ｓ１２）。
【００２０】
図６は、原稿の枚数の入力を受け付ける際の表示画面２１の一例を示す図である。図６を参照して、表示画面２１には、「原稿の枚数を入力してください。」とのメッセージ５１と、テンキー３１等により原稿の枚数の入力を受け付ける枚数入力受け付け領域５２とが表示されている。ユーザーは、セットした原稿の枚数を、テンキー３１等を用いて枚数入力受け付け領域５２に入力する。なお、原稿の枚数については、予めユーザーによってカウントされている。この場合、テンキー３１を用いて枚数入力受け付け領域５２に数値の「５」が入力される。
【００２１】
その後、スタートキー３２の押下が検知されると（Ｓ１３において、ＹＥＳ）、ＡＤＦ２２による原稿の搬送が行われる（Ｓ１４）。ＡＤＦ２２は、画像読み取り部１４によって読み取られる読み取り位置まで原稿を搬送する。搬送後、原稿を排出する。また、枚数カウント部４２は、搬送される原稿の枚数をカウントする（Ｓ１５）。具体的には、枚数カウント部４２は、例えば、読み取り位置を通過する原稿の切れ目の数を数えて、原稿の枚数をカウントする。
【００２２】
原稿の搬送が終了すると（Ｓ１６において、ＹＥＳ）、原稿の枚数のカウントを終了する（Ｓ１７）。そして、判断部４３は、枚数入力受け付け部４１により入力を受け付けられたセットされた原稿の枚数と、枚数カウント部４２によりカウントされた原稿の枚数が一致するか否かを判断する（Ｓ１８）。
【００２３】
ここで、ＡＤＦ２２により複数枚の原稿を順次搬送する際に、複数枚の原稿において、原稿同士が湿気等で引っ付いてしまって、重なって搬送、すなわち、重送を引き起こしてしまう場合がある。重送を引き起こしてしまった場合、結果として、原稿にセットされた枚数よりも少ない枚数の原稿の画像を読み取ることとなる。この場合、一枚の原稿が重送すれば、枚数カウント部４２は、四枚の原稿を搬送したとカウントすることとなる。そして、枚数入力受け付け部４１により入力を受け付けられたセットされた原稿の枚数と、枚数カウント部４２によりカウントされた原稿の枚数とが一致しないこととなる。
【００２４】
ここで、判断部４３により一致しないと判断されれば（Ｓ１８において、ＮＯ）、画像集約部４４は、画像読み取り部１４により読み取られた画像を集約する（Ｓ１９）。そして、報知部４５は、画像集約部４４により集約された集約画像を報知する。この場合、具体的には、報知部４５は、画像集約部４４により集約された集約画像を、画像形成部１５により用紙に印刷して報知する（Ｓ２０）。
【００２５】
図７は、集約画像が印刷された印刷物の一例を示す図である。図７を参照して、印刷物５６には、「確認用集約画像」との文字５７と、集約画像５８とが印刷されている。集約画像５８は、四つの画像５９ａ、５９ｂ、５９ｃ、５９ｄを集約して構成されている。この場合、いわゆる４イン１の集約で、集約画像５８が構成されている。
【００２６】
ユーザーは、印刷物５６に印刷された集約画像５８を見て、どの原稿が重送して読み飛ばされているかを判断する。そして、その後の処理、具体的には、例えば、再度の原稿のセットを行い、原稿の画像を再び読み取らせる。
【００２７】
なお、判断部４３により一致すると判断されれば（Ｓ１８において、ＹＥＳ）、読み取られた画像を基に、画像形成部１５によりそのまま画像を形成して出力する（Ｓ２１）。この場合、全ての原稿の画像が読み取られているため、全ての原稿の画像に対して、画像を形成することになる。
【００２８】
このような構成の複合機１１によれば、枚数入力受け付け部４１により入力を受け付けられたセットされた原稿の枚数と、枚数カウント部４２によりカウントされた原稿の枚数が一致しなければ、読み取られた画像を集約して報知することとしている。この場合、報知部４５は、画像形成部１５を利用して、集約画像５８を印刷物５６に印刷して報知することとしている。そうすると、集約画像５８を確認して、重送して搬送された原稿を容易に把握することができる。この場合、画像を集約しているため、印刷において、用紙のスペースを有効活用でき、効率的に報知することができる。したがって、このような複合機１１によれば、ユーザーが容易に重送された原稿を確認することができる。
【００２９】
この場合、画像が集約されて印刷されているため、印刷による用紙の無駄を防止することができる。すなわち、集約画像５８の印刷において、用紙を節約することができる。また、印刷物５６が出力されているため、印刷物５６を見て、容易に重送された原稿を確認することができる。
【００３０】
なお、上記の実施の形態において、報知部４５は、画像集約部４４により集約された集約画像を、画像形成部１５により用紙に印刷して報知することとしたが、これに限らず、報知部４５は、画像集約部４４により集約された集約画像を表示画面２１に表示して報知するようにしてもよい。
【００３１】
図８は、集約された集約画像を表示画面２１に表示した場合の表示画面２１の一例を示す図である。図８を参照して、表示画面２１には、「確認用集約画像」との文字６１と、画像読み取り部１４により読み取られ、画像集約部４４により集約された集約画像６２とが表示されている。集約画像６２は、四つの画像６３ａ、６３ｂ、６３ｃ、６３ｄから構成されている。
【００３２】
ユーザーは、表示画面２１に表示された集約画像６２を見て、いずれの原稿が重送したかを確認することができる。この場合、画像が集約されているため、あまり大きくない表示画面２１であっても、ユーザーは、原稿が重送されたか否かを判断することができ、特に問題はない。
【００３３】
なお、報知部４５は、画像集約部４４により集約された集約画像を外部装置に送信して報知するようにしてもよい。外部装置としては、ユーザーの所有するスマートフォンや携帯電話、タブレットＰＣといった携帯端末装置等が挙げられる。
【００３４】
図９は、外部装置としての携帯端末装置に集約画像が送信された場合の携帯端末装置のタッチパネルの表示の一例を示す図である。図９を参照して、携帯端末装置６６には、テンキー６７と、機能選択キー６８と、情報を表示するタッチパネル６９と、外部装置との通信を可能にする不図示の携帯端末装置通信部とが設けられている。
【００３５】
ユーザーは、テンキー６７の押下により、０〜９までの数値やＡ〜Ｚまでのアルファベット等を入力することができる。また、ユーザーは、機能選択キー６８の所定の箇所を押下して、種々の操作を行うことができる。例えば、携帯端末装置６６における携帯電話機能を選択して、機能選択キー６８の押下により通話を開始したり、通話を終了させたりする。
【００３６】
タッチパネル６９は、携帯端末装置６６における情報の表示に際して、ユーザーへの出力のインターフェースとなる。すなわち、タッチパネル６９において、携帯端末装置６６における種々の情報を表示すると共に、ユーザーによる入力内容等を表示する。また、タッチパネル６９は、ユーザーから携帯端末装置６６に対する入力のインターフェースにもなる。すなわち、ユーザーは、タッチパネル６９に表示される内容を見て、指を使ってアイコン（不図示）へのタップ等を行うことにより、携帯端末装置６６への実行の命令の入力等の操作を行う。
【００３７】
報知部４５は、複合機通信部２３、および携帯端末装置通信部を介して、画像集約部４４により集約された集約画像のデータを携帯端末装置６６に送信する。携帯端末装置６６は、報知部４５から送信された集約画像７２のデータを受信する。そして、タッチパネル６９に「確認用集約画像」の文字７１と共に、集約画像７２を表示する。集約画像７２は、四つの画像７３ａ、７３ｂ、７３ｃ、７３ｄから構成されている。
【００３８】
このような構成によれば、携帯端末装置６６のタッチパネル６９に表示された集約画像７２を見て、どの原稿の画像が重送により読み取られなかったかを容易に把握することができる。この場合、ユーザーは、複合機１１の近辺に滞在している必要がなく、複合機１１が設置された位置から離れた箇所に滞在していたとしても、容易にどの原稿の画像が重送により読み取られなかったかを容易に把握することができる。この構成は、大量の原稿の画像を読み取らせる場合において、原稿の画像の読み取りに多大な時間を要する際に、ユーザーは、複合機１１の近辺に滞在しなくてもよいため、ユーザーの利便性を向上させることができる。
【００３９】
なお、報知部４５は、判断部４３により一致すると判断されれば、その旨を外部装置に送信して報知するよう構成してもよい。こうすることにより、原稿が重送することなく、全ての原稿の画像が読み取られた旨をタッチパネル６９の表示により認識することができる。したがって、ユーザーは、原稿が重送せずに搬送された旨を、複合機１１が設置された箇所に赴くことなく、認識することができる。
【００４０】
また、上記の実施の形態において、報知部４５は、判断部４３により一致しないと判断されれば、枚数入力受け付け部４１により入力を受け付けられたセットされた原稿の枚数と、枚数カウント部４２によりカウントされた原稿の枚数との差分を報知するようにしてもよい。こうすることにより、集約画像の確認と併せて、何枚の原稿の画像が重送により読み取られなかったかを容易に把握することができる。
【００４１】
なお、上記の実施の形態において、画像集約部４４による画像の集約の態様については、２イン１や８イン１等、予めユーザーにより定められた集約態様であってもよいし、読み取られた原稿の枚数に応じて、画像の集約態様を変更することにしてもよい。集約における一つ一つの画像の縮小率についても、任意に定められる。すなわち、重送された原稿が集約画像から把握できればよいため、原稿の画像によっては、非常に小さく縮小しても重送した原稿を把握することができる。
【００４２】
また、重送した原稿については、用紙の状態や用紙の重さ等に起因することも多いため、重送が複数回生じた場合には、原稿の差し替え等を促す旨を表示画面２１等に表示するようにしてもよい。
【００４３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４４】
この発明に係る画像形成装置は、ユーザーによる重送された原稿の容易な確認が要求される場合に、特に有効に利用される。
【符号の説明】
【００４５】
１１  複合機、１２  制御部、１３  操作部、１４  画像読み取り部、１５  画像形成部、１６  給紙カセット、１７  ハードディスク、１８  ネットワークインターフェース部、１９  主記憶メモリ、２１  表示画面、２２  ＡＤＦ、２３  複合機通信部、３１，６７  テンキー、３２  スタートキー、３３  電源キー、３４  メニューキー、３５  リセットキー、４１  枚数入力受け付け部、４２  枚数カウント部、４３  判断部、４４  画像集約部、４５  報知部、５１  メッセージ、５２  枚数入力受け付け領域、５６  印刷物、５７，６１，７１  文字、５８，６２，７２  集約画像、５９ａ，５９ｂ，５９ｃ，５９ｄ，６３ａ，６３ｂ，６３ｃ，６３ｄ，７３ａ，７３ｂ，７３ｃ，７３ｄ  画像、６６  携帯端末装置、６８  機能選択キー、６９  タッチパネル。
【図１】
2018074419.tif 000003
【図２】
2018074419.tif 000004
【図３】
2018074419.tif 000005
【図４】
2018074419.tif 000006
【図５】
2018074419.tif 000007
【図６】
2018074419.tif 000008
【図７】
2018074419.tif 000009
【図８】
2018074419.tif 000010
【図９】
2018074419.tif 000011